(57)【特許請求の範囲】
【請求項１】
下方に開口する筒部を備え、前記筒部の外周部の複数の箇所に、下方からねじが挿入される第１のねじ孔が設けられる器具本体と、
前記器具本体の筒部の底面に取り付けられるＬＥＤユニットと、
前記器具本体の筒部の内側において前記ＬＥＤユニットの下方に配置され、その外周部に、前記器具本体の前記第１のねじ孔に対応する第２のねじ孔が設けられ、下方から前記第２および第１のねじ孔に前記ねじが挿入されて、前記ねじの頭部が下方に突出している状態で前記器具本体の筒部に固定される光学部材と、
前記器具本体の下方に位置し、かつ前記器具本体に取り付けられる枠体と、
を備え、
前記枠体は、下方に開口すると共に、前記光学部材の下方において前記器具本体の筒部に固定される枠体の筒部を有し、前記枠体の筒部は、内側に配置され、かつ内面が反射面である第１部分と、前記第１部分の外側に配置される外周壁としての第２部分と、を備える２重構造を有し、かつ、前記枠体における前記外周壁としての第２部分の、前記第１、第２のねじ孔に対応する位置に、位置決め用突起として機能する前記ねじの頭部を収容する、位置決め用のねじ頭部収容凹部が設けられる照明器具。
【請求項２】
請求項１に記載の照明器具において、
前記枠体の前記ねじ頭部収容凹部が、前記器具本体側の前記ねじに対して回転対称に形成される照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、ＬＥＤを有する光源ブロックと、点灯装置と、光源ブロックおよび点灯装置が取り付けられる取付板と、端子台とを収納した器具本体を備えた照明器具が知られている（例えば、特許文献１参照）。
特許文献１は、器具本体に、一面側から取付板が着脱自在に取り付けられる放熱性を有する取付部を設けた。
【先行技術文献】
【特許文献】
【０００３】
【特許文献１】特開２００６−１７２８９５号公報（図１、請求項１）
【発明の概要】
【発明が解決しようとする課題】
【０００４】
特許文献１は、取付部により放熱性を向上できる。
ところで、特許文献１と同様に、器具本体にＬＥＤユニットを取り付け、ＬＥＤユニットの前面に光学部材を取り付け、光学部材の前面に枠体を取り付けた照明器具が提案されている。
このような従来の照明器具は、器具本体に形成された小判形状の器具本体側筒部と、枠体に形成された小判形状の枠体側筒部とを組み合わせることにより、組立時のガイドとしている。
ところが、このような従来の照明器具は、器具本体に収容されるＬＥＤユニットの外形が器具本体の小判形状の器具本体側筒部に制限される。
そのため、このような従来の照明器具は、大きな外形を有する高出力なＬＥＤユニットを収容できない。
従って、このような従来の照明器具は、ＬＥＤユニットを高出力化できない。
また、このような従来の照明器具は、組立時に、器具本体の小判形状の器具本体側筒部と、枠体の小判形状の枠体側筒部とを組み合わせなければならず、双方が一致する方向が単一の方向だけである。
従って、このような従来の照明器具は、組立時に、双方を単一の方向に組み合わせないと組み立てできないので、組立方向性に乏しく、組立作業性が良好ではない。
【０００５】
本発明は、前述した課題を解決するためになされたものであり、その目的は、ＬＥＤユニットの高出力化に対応でき、組立作業性を向上できる照明器具を提供することにある。
【課題を解決するための手段】
【０００６】
本発明に係る照明器具は、下方に開口する筒部を備え、前記筒部の外周部の複数の箇所に、下方からねじが挿入される第１のねじ孔が設けられる器具本体と、前記器具本体の筒部の底面に取り付けられるＬＥＤユニットと、前記器具本体の筒部の内側において前記ＬＥＤユニットの下方に配置され、その外周部に、前記器具本体の前記第１のねじ孔に対応する第２のねじ孔が設けられ、下方から前記第２および第１のねじ孔に前記ねじが挿入されて、前記ねじの頭部が下方に突出している状態で前記器具本体の筒部に固定される光学部材と、前記器具本体の下方に位置し、かつ前記器具本体に取り付けられる枠体と、を備え、前記枠体は、下方に開口すると共に、前記光学部材の下方において前記器具本体の筒部に固定される枠体の筒部を有し、前記枠体の筒部は、内側に配置され、かつ内面が反射面である第１部分と、前記第１部分の外側に配置される外周壁としての第２部分と、を備える２重構造を有し、かつ、前記枠体における前記外周壁としての第２部分の、前記第１、第２のねじ孔に対応する位置に、位置決め用突起として機能する前記ねじの頭部を収容する、位置決め用のねじ頭部収容凹部が設けられる。
【０００７】
本発明に係る照明器具は、前記枠体の前記ねじ頭部収容凹部が、前記器具本体側の前記ねじに対して回転対称に形成される。
【発明の効果】
【０００９】
本発明に係る照明器具によれば、ＬＥＤユニットの高出力化に対応でき、組立作業性を向上できるという効果を奏する。
【図面の簡単な説明】
【００１０】
【図１】本発明に係る第１実施形態の照明器具の斜め下方から視た外観斜視図
【図２】本発明に係る第１実施形態の照明器具の一部破断側面図
【図３】本発明に係る第１実施形態の照明器具と反射板との分解斜視図
【図４】本発明に係る第１実施形態の照明器具の器具本体の斜め下方および枠体の斜め上方から視た外観斜視図
【図５】本発明に係る第１実施形態の照明器具の垂直断面図
【図６】好ましくない場合の照明器具の垂直断面図
【図７】本発明に係る第２実施形態の照明器具とレンズとの分解斜視図
【発明を実施するための形態】
【００１１】
以下、本発明に係る複数の実施形態の照明器具について図面を参照して説明する。
（第１実施形態）
図１に示すように、本発明に係る第１実施形態の照明器具１０は、器具本体１１と、器具本体１１の下方に取り付けられる枠体１２とを備え、天井材（図５参照）１の埋設孔（図５参照）２に埋め込まれてダウンライト等に適用される。
器具本体１１は、例えばアルミニウムダイキャスト等の金属製であって、略円筒形状に形成された筒部１３を有し、筒部１３の上部に複数の放熱フィン１４を有する。
枠体１２は、例えば硬質の樹脂材料により成形された筒部１５を有し、筒部１５の下端部にフランジ形状の化粧板１６を有し、筒部１５の側部に複数の取付ばね１７が取り付けられている。
【００１２】
照明器具１０は、器具本体１１の底部にＬＥＤユニット１８が取り付けられる。
ＬＥＤユニット１８は、複数のＬＥＤチップ１９がＬＥＤ基板２０に封止されており、ＬＥＤ基板２０に有する不図示のプリント回路が器具配線２１を通じて電源ユニット２２に電気的に接続される。
電源ユニット２２は、電源ケース２３に取り付けられており、電源ケース２３が器具本体１１の上部にねじ止めされる。電源ユニット２２は、電源端子台２４を備える。
【００１３】
図２に示すように、照明器具１０は、ＬＥＤユニット１８の直下に光学部材である反射板２５が取り付けられる。
反射板２５は、ＬＥＤユニット１８のそれぞれのＬＥＤチップ１９の位置に合わせて略半球形状で頂部が開口された複数の反射面２６を有する。
反射板２５は、外周部に外枠２７を有し、この外枠２７の内側に乳白色や透明な樹脂製のパネル２８が収容される。
反射板２５は、無端状で円環形のパッキン２９および円環形の押板３０を介して器具本体１１に固定される。
枠体１２は、内周面に略半球形状で頂部が開口された補助反射板３１を有する。
【００１４】
図３に示すように、器具本体１１は、筒部１３の外周部の円周上の等間隔の位置に、半円筒形状に形成された複数の凸部収容部３２を有する。
反射板２５は、外枠２７の外周部の円周上の等間隔の位置に、器具本体１１の凸部収容部３２に対応する複数の凸部３３を有する。凸部３３はねじ孔３４を有する。
反射板２５は、凸部３３が器具本体１１の凸部収容部３２に収容されるようにして器具本体１１の筒部１３の内側に組み込まれる。
【００１５】
次に、反射板２５の前面に、パッキン２９と押板３０とが配置され、押板３０の外周部に有するねじ孔３５から反射板２５の凸部３３のねじ孔３４に複数のねじ３６が挿通される。
そして、器具本体１１の凸部収容部３２に反射板２５の凸部３３が収容された状態において、ねじ３６が、器具本体１１の筒部１３における凸部収容部３２に有するねじ孔３７にねじ込まれる。
【００１６】
図４に示すように、器具本体１１の筒部１３における凸部収容部３２に有するねじ孔３７にねじ込まれたねじ３６は、器具本体１１の筒部１３の底面において、器具本体１１の凸部収容部３２の位置で、頭部３８が下方に突出する。
枠体１２は、筒部１５の外周部に外周壁板３９を有し、この外周壁板３９の円周方向の等間隔の位置に、半円筒形状に形成された複数の頭部収容凹部４０を有する。
【００１７】
頭部収容凹部４０は、ねじ３６の頭部３８の外径寸法よりもわずかに大きい内径寸法を有するために、ねじ３６の頭部３８を収容して器具本体１１に対して位置決める機能を有する。
このとき、枠体１２の頭部収容凹部４０は、器具本体側のねじ３６に対して回転対称に形成される。
従って、器具本体１１に枠体１２を位置決めするに際し、器具本体１１と枠体１２とが一致する方向が複数の方向であるために、組立作業性を良好にできる。
【００１８】
次に、照明器具１０における器具本体１１と枠体１２との組付手順について説明する。
まず、反射板２５が、凸部３３を器具本体１１の凸部収容部３２に収容されるようにして器具本体１１の筒部１３の内側に組み込まれる。
次に、反射板２５にパッキン２９と押板３０とが組み合わされ、押板３０のねじ孔３５から反射板２５の凸部３３のねじ孔３４に複数のねじ３６が挿通される。
そして、器具本体１１の凸部収容部３２に反射板２５の凸部３３が収容された状態において、ねじ３６が、器具本体１１の筒部１３における凸部収容部３２のねじ孔３７にねじ込まれる。
【００１９】
次に、このように組み立てられた器具本体１１と反射板２５とのサブアッシに対して枠体１２が組み合わされる。
このとき、枠体１２の頭部収容凹部４０に、器具本体１１の筒部１３の底面において下方に向けて突出しているねじ３６の頭部３８が収容される。
そのため、枠体１２の頭部収容凹部４０に、器具本体１１のねじ３６の頭部３８が収容されることにより、器具本体１１に対して枠体１２が位置決められる。
続いて、器具本体１１に対して枠体１２が位置決められた後に、枠体１２側から器具本体１１に不図示のねじがねじ込まれることにより、器具本体１１に枠体１２が固定される。
【００２０】
図５に示すように、枠体１２は、筒部１５の外周部の外周壁板３９に、器具本体１１との位置決めのための頭部収容凹部４０を有する。
従って、器具本体１１において、反射板２５を含めてＬＥＤユニット１８を大型化でき、ＬＥＤユニット１８からの光のロスを減少させて光学的性能を向上できる。
また、枠体１２が、筒部１５の外周部に外周壁板３９を有するために、天井材１の埋設孔２と、枠体１２の筒部１５における化粧板１６との間からの光漏れを防止できる。
これに対して、図６に示すように、枠体７１の外周部に外周壁板を有さない照明器具７０の場合、天井材１の埋設孔２と、枠体７１との間からの光漏れαを生じやすいために光学的な性能の面で支障を有するものとなる。
【００２１】
以上、説明した本発明に係る第１実施形態の照明器具１０によれば、器具本体１１に枠体１２を組付けるに際し、枠体１２の頭部収容凹部４０に、器具本体１１のねじ３６の頭部３８が収容される。
従って、第１実施形態の照明器具１０によれば、器具本体１１に対して枠体１２を簡単に位置決めできるために、組立作業性を向上できる。
【００２２】
また、第１実施形態の照明器具１０によれば、器具本体１１に枠体１２を位置決めするに際し、器具本体１１と枠体１２とが一致する方向が複数の方向であるために、組立作業性を良好にできる。
【００２３】
そして、第１実施形態の照明器具１０によれば、枠体１２が、筒部１５の外周部の外周壁板３９に、器具本体１１との位置決めのための頭部収容凹部４０を有する。
従って、第１実施形態の照明器具１０によれば、反射板２５を含めてＬＥＤユニット１８を大型化でき、ＬＥＤユニット１８の高出力化に対応できる。
【００２４】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２５】
図７に示すように、本発明に係る第２実施形態の照明器具５０は、ＬＥＤユニット１８の直下に光学部材であるレンズ５１が取り付けられる。
レンズ５１は、ＬＥＤユニット１８のそれぞれのＬＥＤチップ１９の位置に合わせて略半球形状で頂部が開口された複数の導光部５２を有する。
レンズ５１は、外周部の等間隔の位置に、器具本体１１の凸部収容部３２に対応する複数の凸部５３を有する。凸部５３はねじ孔５４を有する。
【００２６】
第２実施形態の照明器具５０によれば、器具本体１１にレンズ５１を取り付けるに際し、パッキンや押板等を用いる必要がないので、部品点数を減少でき、組立作業性をさらに向上できる。
【００２７】
なお、本発明の照明器具において器具本体，取付ばね，ＬＥＤユニット，電源ユニット等は、前述した各実施形態に限定されるものでなく、適宜な変形や改良等が可能である。
【符号の説明】
【００２８】
１０，５０  照明器具
１１  器具本体
１２  枠体
１８  ＬＥＤユニット
２５  反射板（光学部材）
３６  ねじ
３８  頭部
３９  外周壁板（壁板）
４０  頭部収容凹部（凹部）
５１  レンズ（光学部材）
【図１】
0005830699.tif 000002
【図２】
0005830699.tif 000003
【図３】
0005830699.tif 000004
【図４】
0005830699.tif 000005
【図５】
0005830699.tif 000006
【図６】
0005830699.tif 000007
【図７】
0005830699.tif 000008